(57)【要約】【課題】複数の表示要素が互いに異なる配置態様で表示された２つの表示部それぞれに、それら表示要素のいずれかに付加される注釈情報を表示する。【解決手段】情報共有装置１０は、複数のウィンドウを表示部１２に表示する表示制御部１５と、表示部１２に表示されるアノテーションの入力に応じて、表示部１２に表示された複数のウィンドウのいずれかをそのアノテーションの付加先として特定するアノテーション付加先特定部１６と、を含む。情報共有装置２０は、表示部１２に表示される複数のウィンドウの配置態様とは異なる配置態様で、それらのウィンドウを表示部２２に表示する表示制御部２５と、上記アノテーションがそのアノテーションの付加先として特定されたウィンドウに関連づけられた状態で表示部２２に表示されるよう、アノテーションの表示属性を決定するアノテーション表示属性決定部２６と、を含む。【選択図】図１
2010072793.tif 000002
【特許請求の範囲】
【請求項１】
複数の表示要素を第１表示部に表示する手段と、
前記第１表示部に表示される前記複数の表示要素の配置態様とは異なる配置態様で、前記複数の表示要素を第２表示部に表示する手段と、
前記第１表示部に表示される注釈情報の入力に応じて、前記第１表示部に表示された前記複数の表示要素のいずれかを前記注釈情報の付加先として特定する付加先特定手段と、
前記注釈情報を該注釈情報の付加先として特定された表示要素に関連づけて前記第２表示部に表示する注釈情報表示手段と、
を含むことを特徴とする情報共有システム。
【請求項２】
請求項１に記載の情報共有システムにおいて、
前記配置態様は、表示位置、大きさ、形状、および色の少なくとも１つを含む、
ことを特徴とする情報共有システム。
【請求項３】
請求項１または２に記載の情報共有システムにおいて、
前記付加先特定手段は、前記第１表示部に表示された前記複数の表示要素のうち前記注釈情報の一部が重なる表示要素を、前記注釈情報の付加先として特定する、
ことを特徴とする情報共有システム。
【請求項４】
請求項１または２に記載の情報共有システムにおいて、
前記付加先特定手段は、前記第１表示部に表示された前記複数の表示要素のうち前記注釈情報により指示される表示要素を、前記注釈情報の付加先として特定する、
ことを特徴とする情報共有システム。
【請求項５】
請求項１または２に記載の情報共有システムにおいて、
前記付加先特定手段は、前記第１表示部における前記注釈情報と前記複数の表示要素それぞれとの距離に基づいて、前記注釈情報の付加先を特定する、
ことを特徴とする情報共有システム。
【請求項６】
請求項１または２に記載の情報共有システムにおいて、
前記付加先特定手段は、前記第１表示部における前記注釈情報と前記複数の表示要素それぞれとが重なる領域の面積に基づいて、前記注釈情報の付加先を特定する、
ことを特徴とする情報共有システム。
【請求項７】
請求項１から６のいずれかに記載の情報共有システムにおいて、
前記注釈情報表示手段は、前記第２表示部において前記注釈情報の一部または全部が該注釈情報の付加先として特定された表示要素に重なるよう、前記注釈情報を表示する、
ことを特徴とする情報共有システム。
【請求項８】
請求項１から６のいずれかに記載の情報共有システムにおいて、
前記注釈情報表示手段は、前記第２表示部において前記注釈情報が該注釈情報の付加先として特定された表示要素を指示するよう、前記注釈情報を表示する、
ことを特徴とする情報共有システム。
【請求項９】
請求項１から６のいずれかに記載の情報共有システムにおいて、
前記注釈情報表示手段は、前記第２表示部において前記注釈情報が前記複数の表示要素のうち該注釈情報の付加先として特定された表示要素に最も近くなるよう、前記注釈情報を表示する、
ことを特徴とする情報共有システム。
【請求項１０】
請求項１から６のいずれかに記載の情報共有システムにおいて、
前記注釈情報表示手段は、前記第２表示部において前記注釈情報の表示態様が該注釈情報の付加先として特定された表示要素の表示態様に対応するよう、前記注釈情報を表示する、
ことを特徴とする情報共有システム。
【請求項１１】
請求項１から１０のいずれかに記載の情報共有システムにおいて、
前記表示要素は、表示位置が移動可能な表示領域である、
ことを特徴とする情報共有システム。
【請求項１２】
複数の表示要素を第１表示部に表示する手段と、
前記第１表示部に表示される注釈情報の入力に応じて、前記第１表示部に表示された前記複数の表示要素のいずれかを前記注釈情報の付加先として特定する付加先特定手段と、
前記第１表示部に表示される前記複数の表示要素の配置態様とは異なる配置態様で前記複数の表示要素を第２表示部に表示する他の情報共有装置に、前記注釈情報と該注釈情報の付加先として特定された表示要素を識別する付加先識別情報とを送信する手段と、
を含むことを特徴とする情報共有装置。
【請求項１３】
他の情報共有装置によって第１表示部に表示される複数の表示要素の配置態様とは異なる配置態様で、前記複数の表示要素を第２表示部に表示する手段と、
前記他の情報共有装置から、前記第１表示部に表示される注釈情報と、該注釈情報の付加先として特定された前記複数の表示要素のいずれかを識別する付加先識別情報と、を受信する手段と、
前記注釈情報を前記付加先識別情報により識別される表示要素に関連づけて前記第２表示部に表示する注釈情報表示手段と、
を含むことを特徴とする情報共有装置。
【請求項１４】
複数の表示要素を第１表示部に表示する手段、
前記第１表示部に表示される注釈情報の入力に応じて、前記第１表示部に表示された前記複数の表示要素のいずれかを前記注釈情報の付加先として特定する付加先特定手段、および
前記第１表示部に表示される前記複数の表示要素の配置態様とは異なる配置態様で前記複数の表示要素を第２表示部に表示する他の情報共有装置に、前記注釈情報と該注釈情報の付加先として特定された表示要素を識別する付加先識別情報とを送信する手段、
としてコンピュータを機能させることを特徴とするプログラム。
【請求項１５】
他の情報共有装置によって第１表示部に表示される複数の表示要素の配置態様とは異なる配置態様で、前記複数の表示要素を第２表示部に表示する手段、
前記他の情報共有装置から、前記第１表示部に表示される注釈情報と、該注釈情報の付加先として特定された前記複数の表示要素のいずれかを識別する付加先識別情報と、を受信する手段、および
前記注釈情報を前記付加先識別情報により識別される表示要素に関連づけて前記第２表示部に表示する注釈情報表示手段、
としてコンピュータを機能させることを特徴とするプログラム。
【発明の詳細な説明】
【技術分野】
【０００１】
本発明は、情報共有システム、情報共有装置、およびプログラムに関する。
【背景技術】
【０００２】
従来、２以上の表示部に共通の情報を表示することにより、情報共有を支援するシステムがある。
【０００３】
たとえば、特許文献１には、複数の情報通信端末それぞれの表示画面に共通の画像を表示するとともに、簡単な操作により画像上で話題の対象となる部分を指し示す目印を表示する技術が開示されている。
【０００４】
また、特許文献２には、端末が遠隔地に存在する他の端末とコラボレーションを行う際に、コラボレーションの対象となるアプリケーションのウィンドウとそれに対応する透明ウィンドウとを双方のシステムにおいて起動させ、透明ウィンドウ上に描画された図形等のデータを相手側装置に伝送する技術が開示されている。
【特許文献１】特開２００５−３９７７２号公報
【特許文献２】特開２０００−４７９９１号公報
【発明の開示】
【発明が解決しようとする課題】
【０００５】
本発明は、複数の表示要素が互いに異なる配置態様で表示された２つの表示部それぞれに、それら表示要素のいずれかに付加される注釈情報を表示することができる情報共有システム、情報共有装置、およびプログラムを提供することを目的とする。
【課題を解決するための手段】
【０００６】
請求項１に係る情報共有システムは、複数の表示要素を第１表示部に表示する手段と、前記第１表示部に表示される前記複数の表示要素の配置態様とは異なる配置態様で、前記複数の表示要素を第２表示部に表示する手段と、前記第１表示部に表示される注釈情報の入力に応じて、前記第１表示部に表示された前記複数の表示要素のいずれかを前記注釈情報の付加先として特定する付加先特定手段と、前記注釈情報を該注釈情報の付加先として特定された表示要素に関連づけて前記第２表示部に表示する注釈情報表示手段と、を含むことを特徴とする。
【０００７】
請求項２に係る情報共有システムでは、請求項１に記載の情報共有システムにおいて、前記配置態様は、表示位置、大きさ、形状、および色の少なくとも１つを含む。
【０００８】
請求項３に係る情報共有システムでは、請求項１または２に記載の情報共有システムにおいて、前記付加先特定手段は、前記第１表示部に表示された前記複数の表示要素のうち前記注釈情報の一部が重なる表示要素を、前記注釈情報の付加先として特定する。
【０００９】
請求項４に係る情報共有システムでは、請求項１または２に記載の情報共有システムにおいて、前記付加先特定手段は、前記第１表示部に表示された前記複数の表示要素のうち前記注釈情報により指示される表示要素を、前記注釈情報の付加先として特定する。
【００１０】
請求項５に係る情報共有システムでは、請求項１または２に記載の情報共有システムにおいて、前記付加先特定手段は、前記第１表示部における前記注釈情報と前記複数の表示要素それぞれとの距離に基づいて、前記注釈情報の付加先を特定する。
【００１１】
請求項６に係る情報共有システムでは、請求項１または２に記載の情報共有システムにおいて、前記付加先特定手段は、前記第１表示部における前記注釈情報と前記複数の表示要素それぞれとが重なる領域の面積に基づいて、前記注釈情報の付加先を特定する。
【００１２】
請求項７に係る情報共有システムでは、請求項１から６のいずれかに記載の情報共有システムにおいて、前記注釈情報表示手段は、前記第２表示部において前記注釈情報の一部または全部が該注釈情報の付加先として特定された表示要素に重なるよう、前記注釈情報を表示する。
【００１３】
請求項８に係る情報共有システムでは、請求項１から６のいずれかに記載の情報共有システムにおいて、前記注釈情報表示手段は、前記第２表示部において前記注釈情報が該注釈情報の付加先として特定された表示要素を指示するよう、前記注釈情報を表示する。
【００１４】
請求項９に係る情報共有システムでは、請求項１から６のいずれかに記載の情報共有システムにおいて、前記注釈情報表示手段は、前記第２表示部において前記注釈情報が前記複数の表示要素のうち該注釈情報の付加先として特定された表示要素に最も近くなるよう、前記注釈情報を表示する。
【００１５】
請求項１０に係る情報共有システムでは、請求項１から６のいずれかに記載の情報共有システムにおいて、前記注釈情報表示手段は、前記第２表示部において前記注釈情報の表示態様が該注釈情報の付加先として特定された表示要素の表示態様に対応するよう、前記注釈情報を表示する。
【００１６】
請求項１１に係る情報共有システムでは、請求項１から１０のいずれかに記載の情報共有システムにおいて、前記表示要素は、表示位置が移動可能な表示領域である。
【００１７】
請求項１２に係る情報共有装置は、複数の表示要素を第１表示部に表示する手段と、前記第１表示部に表示される注釈情報の入力に応じて、前記第１表示部に表示された前記複数の表示要素のいずれかを前記注釈情報の付加先として特定する付加先特定手段と、前記第１表示部に表示される前記複数の表示要素の配置態様とは異なる配置態様で前記複数の表示要素を第２表示部に表示する他の情報共有装置に、前記注釈情報と該注釈情報の付加先として特定された表示要素を識別する付加先識別情報とを送信する手段と、を含むことを特徴とする。
【００１８】
請求項１３に係る情報共有装置は、他の情報共有装置によって第１表示部に表示される複数の表示要素の配置態様とは異なる配置態様で、前記複数の表示要素を第２表示部に表示する手段と、前記他の情報共有装置から、前記第１表示部に表示される注釈情報と、該注釈情報の付加先として特定された前記複数の表示要素のいずれかを識別する付加先識別情報と、を受信する手段と、前記注釈情報を前記付加先識別情報により識別される表示要素に関連づけて前記第２表示部に表示する注釈情報表示手段と、を含むことを特徴とする。
【００１９】
請求項１４に係るプログラムは、複数の表示要素を第１表示部に表示する手段、前記第１表示部に表示される注釈情報の入力に応じて、前記第１表示部に表示された前記複数の表示要素のいずれかを前記注釈情報の付加先として特定する付加先特定手段、および前記第１表示部に表示される前記複数の表示要素の配置態様とは異なる配置態様で前記複数の表示要素を第２表示部に表示する他の情報共有装置に、前記注釈情報と該注釈情報の付加先として特定された表示要素を識別する付加先識別情報とを送信する手段、としてコンピュータを機能させることを特徴とする。
【００２０】
請求項１５に係るプログラムは、他の情報共有装置によって第１表示部に表示される複数の表示要素の配置態様とは異なる配置態様で、前記複数の表示要素を第２表示部に表示する手段、前記他の情報共有装置から、前記第１表示部に表示される注釈情報と、該注釈情報の付加先として特定された前記複数の表示要素のいずれかを識別する付加先識別情報と、を受信する手段、および前記注釈情報を前記付加先識別情報により識別される表示要素に関連づけて前記第２表示部に表示する注釈情報表示手段、としてコンピュータを機能させることを特徴とする。
【００２１】
なお、上記プログラムは、インターネットなどの通信ネットワークを介して提供されてもよいし、フレキシブルディスク、ＣＤ−ＲＯＭ、ＤＶＤ−ＲＯＭなどのコンピュータ読み取り可能な情報記録媒体に格納されて提供されてもよい。
【発明の効果】
【００２２】
請求項１に係る情報共有システムによれば、複数の表示要素が互いに異なる配置態様で表示された２つの表示部それぞれに、それらの表示要素のいずれかに付加される注釈情報が表示される。
【００２３】
請求項２に係る情報共有システムによれば、複数の表示要素の表示位置、大きさ、および形状の少なくとも１つが互いに異なる第１表示部および第２表示部のそれぞれに、それら表示要素のいずれかに付加される注釈情報が表示される。
【００２４】
請求項３に係る情報共有システムによれば、第１表示部に表示された複数の表示要素のいずれかに重なる注釈情報が、その表示要素に関連づけられて第２表示部に表示される。
【００２５】
請求項４に係る情報共有システムによれば、第１表示部に表示された複数の表示要素のいずれかを指示する注釈情報が、その表示要素に関連づけられて第２表示部に表示される。
【００２６】
請求項５に係る情報共有システムによれば、第１表示部に表示される注釈情報が、第１表示部におけるその注釈情報と複数の表示要素それぞれとの距離に基づいて特定される表示要素に関連づけられて第２表示部に表示される。
【００２７】
請求項６に係る情報共有システムによれば、第１表示部に表示される注釈情報が、第１表示部におけるその注釈情報と複数の表示要素それぞれとが重なる領域の面積に基づいて特定される表示要素に関連づけられて第２表示部に表示される。
【００２８】
請求項７に係る情報共有システムによれば、第１表示部に表示される注釈情報が、その注釈情報の付加先として特定された表示要素の一部または全部に重なるよう第２表示部に表示される。
【００２９】
請求項８に係る情報共有システムによれば、第１表示部に表示される注釈情報が、その注釈情報の付加先として特定された表示要素を指示するよう第２表示部に表示される。
【００３０】
請求項９に係る情報共有システムによれば、第１表示部に表示される注釈情報が、複数の表示要素のうちその注釈情報の付加先として特定された表示要素に最も近くなるよう第２表示部に表示される。
【００３１】
請求項１０に係る情報共有システムによれば、第１表示部に表示される注釈情報が、その注釈情報の付加先として特定された表示要素の表示態様に対応するよう第２表示部に表示される。
【００３２】
請求項１１に係る情報共有システムによれば、表示位置が移動可能な複数の表示領域の配置態様が互いに異なる第１表示部および第２表示部のそれぞれに、それら表示領域のいずれかに付加される注釈情報が表示される。
【００３３】
請求項１２，１３に係る情報共有装置によれば、複数の表示要素の配置態様が互いに異なる第１表示部および第２表示部のそれぞれに、それら表示要素のいずれかに付加される注釈情報が表示される。
【００３４】
請求項１４，１５に係るプログラムによれば、複数の表示要素の配置態様が互いに異なる第１表示部および第２表示部のそれぞれに、それら表示要素のいずれかに付加される注釈情報が表示される。
【発明を実施するための最良の形態】
【００３５】
以下、本発明の一実施形態を図面に基づいて詳細に説明する。
【００３６】
図１は、本発明の一実施形態に係る情報共有システム１００の構成図である。同図に示すように、情報共有システム１００は、情報共有装置１０，２０と、情報共有装置１０と情報共有装置２０とを接続する社内ネットワークやインターネットなどの通信ネットワーク３０と、を含んで構成される。
【００３７】
情報共有装置１０は、キーボードやマウスなどの情報入力装置で構成される入力部１１と、液晶ディスプレイや有機ＥＬディスプレイなどの表示装置で構成される表示部１２と、ネットワークインターフェース装置などで構成される通信部１３と、ＣＰＵおよびＣＰＵの動作を制御するプログラムで構成される制御部１４と、を含むコンピュータ装置である。
【００３８】
情報共有装置１０は、たとえば図２に示すように、各種アプリケーションに係る複数のウィンドウ（表示位置が移動可能な表示領域、ここではウィンドウ４０〜４２の３つとする）を並べてまたは重ねて表示部１２に表示する。ウィンドウ４０〜４２内には、アプリケーションに係る各種オブジェクト（文字、図形、画像など）が描画される。また、情報共有装置１０は、入力部１１を介して入力されるユーザの指示に従って、文字や図形などからなるアノテーション（注釈情報）をウィンドウ４０〜４２の内側または外側に表示する。
【００３９】
情報共有装置２０は、液晶ディスプレイや有機ＥＬディスプレイなどの表示装置で構成される表示部２２と、ネットワークインターフェース装置などで構成される通信部２３と、ＣＰＵおよびＣＰＵの動作を制御するプログラムで構成される制御部２４と、を含むコンピュータ装置である。
【００４０】
情報共有装置２０は、たとえば図３に示すように、情報共有装置１０の表示部１２に表示されるウィンドウ４０〜４２にそれぞれ対応するウィンドウ５０〜５２を表示部２２に表示する。これにより、互いに離れた情報共有装置１０のユーザと情報共有装置２０のユーザとが、ウィンドウ４０〜４２およびウィンドウ４０〜４２内に描画される情報を共有できるようになっている。
【００４１】
なお、本実施形態では、図２および図３に示すように、表示部２２の表示サイズ（解像度）や形状が表示部１２のそれらと異なっているものとする。一例として、ここでは、表示部２２の表示サイズが表示部１２の表示サイズより大きく、表示部２２の形状が表示部１２の形状よりも横長であるものとする。
【００４２】
このため、情報共有装置２０は、表示部１２に表示されるウィンドウ４０〜４２を、その配置態様とは異なる配置態様でウィンドウ５０〜５２として表示部２２に表示する。ウィンドウの配置態様には、ウィンドウの表示位置、ウィンドウの大きさ、ウィンドウの形状、およびウィンドウの色の少なくとも１つが含まれる。
【００４３】
情報共有システム１００では、情報共有装置２０が、情報共有装置１０の表示部１２に表示された複数のウィンドウのいずれかに付加されるアノテーションを、そのウィンドウとアノテーションとの関連（帰属関係）を維持したまま表示部２２に適切に表示する。
【００４４】
以下では、上記処理を実現するために情報共有装置１０の制御部１４および情報共有装置２０の制御部２４が備える構成を詳細に説明する。
【００４５】
情報共有装置１０の制御部１４は、表示制御部１５、アノテーション付加先特定部１６、および共有情報送信部１７を含む。
【００４６】
表示制御部１５は、表示部１２に表示されるウィンドウ（ウィンドウ内に描画される各種オブジェクトを含む）やアノテーションなどの表示位置（表示部１２の表示領域における座標）、大きさ（高さ、幅など）、形状、表示色、およびその他の表示属性を保持する。そして、表示制御部１５は、上記表示属性に基づいて生成した画像信号を表示部１２に出力することにより、表示部１２にウィンドウやアノテーションなどを表示する。
【００４７】
アノテーション付加先特定部１６は、表示部１２に表示されるアノテーションの入力に応じて、表示部１２に表示された複数のウィンドウのいずれかをそのアノテーションの付加先として特定する。すなわち、アノテーション付加先特定部１６は、表示制御部１５により保持されるウィンドウの表示属性（表示位置、大きさなど）と入力されたアノテーションの表示属性（表示位置、大きさ、形状、種別など）とに基づいて、表示部１２に表示された複数のウィンドウのいずれかをそのアノテーションの付加先として特定する。
【００４８】
ここで、入力されたアノテーションの付加先を特定する方法を、図４、図６、図８に基づいて具体的に説明する。図４、図６、図８は、表示部１２に表示されるウィンドウ（ここでは３つとする）とアノテーションの配置態様を示す図である。
【００４９】
たとえば、表示部１２の図４に示す位置に表示される、テキストを含むアノテーション４３の入力があった場合、アノテーション付加先特定部１６は、表示部１２に表示された３つのウィンドウ４０〜４２のうちアノテーション４３の一部が重なるウィンドウ４０を、アノテーション４３の付加先として特定してもよい。
【００５０】
また、表示部１２の図６に示す位置に表示される、テキストと矢印状の指示線とを含むアノテーション４４の入力があった場合、アノテーション付加先特定部１６は、表示部１２に表示された３つのウィンドウ４０〜４２のうちアノテーション４４の指示線により指示されるウィンドウ４０を、アノテーション４４の付加先として特定してもよい。
【００５１】
また、表示部１２の図８に示す位置に表示される、テキストと２つウィンドウ４０，４１にまたがる方向性を有する矢印状の関連指示線とを含むアノテーション４５の入力があった場合、アノテーション付加先特定部１６は、表示部１２に表示された３つのウィンドウ４０〜４２のうちアノテーション４５の一部が重なるウィンドウをアノテーション４５の付加先として特定してもよい。たとえば、アノテーション付加先特定部１６は、アノテーション４５に含まれるテキストの一部が重なるウィンドウ４０をアノテーション４５の付加先として特定してもよいし、アノテーション４５に含まれる関連指示線の始点が重なるウィンドウ４０をアノテーション４５の付加先として特定してもよいし、アノテーション４５に含まれる関連指示線の終点が重なるウィンドウ４１をアノテーション４５の付加先として特定してもよい。
【００５２】
なお、上記アノテーションが表示部１２に表示されたウィンドウ４０〜４２のいずれにも重なっていなければ、アノテーション付加先特定部１６は、表示部１２におけるアノテーションとウィンドウ４０〜４２それぞれとの距離に基づいて、アノテーションの付加先を特定してもよい。たとえば、アノテーション付加先特定部１６は、アノテーションとの距離が最も小さいウィンドウをそのアノテーションの付加先として特定してもよい。
【００５３】
逆に、アノテーションが表示部１２に表示されたウィンドウ４０〜４２の２つ以上に重なっていれば、アノテーション付加先特定部１６は、表示部１２におけるアノテーションとウィンドウ４０〜４２それぞれとが重なる領域の面積に基づいて、アノテーションの付加先を特定してもよい。たとえば、アノテーション付加先特定部１６は、アノテーションと重なる面積の最も大きいウィンドウをそのアノテーションの付加先として特定してもよい。
【００５４】
共有情報送信部１７は、情報共有装置１０と情報共有装置２０との間で共有される情報を通信部１３を介して情報共有装置２０に送信する。具体的には、共有情報送信部１７は、表示制御部１５により保持されるウィンドウやアノテーションなどの表示属性（表示位置、大きさ、形状、種別、表示色など）と、アノテーション付加先特定部１６によりアノテーションの付加先として特定されたウィンドウを識別する付加先識別情報と、を情報共有装置２０に送信する。
【００５５】
なお、共有情報送信部１７は、これらの情報の一部または全部を所定の時間間隔で送信してもよいし、これらの情報のうち更新のあった部分のみを表示部１２における表示内容が更新されたタイミングで送信してもよい。
【００５６】
一方、情報共有装置２０の制御部２４は、表示制御部２５、アノテーション表示属性決定部２６、および共有情報受信部２７を含む。
【００５７】
共有情報受信部２７は、情報共有装置１０の共有情報送信部１７により送信される情報を通信部２３を介して受信する。具体的には、共有情報受信部２７は、情報共有装置１０の表示部１２に表示されるウィンドウやアノテーションなどの表示属性と、情報共有装置１０のアノテーション付加先特定部１６によりアノテーションの付加先として特定されたウィンドウを識別する付加先識別情報と、を受信する。
【００５８】
表示制御部２５は、共有情報受信部２７により受信されるウィンドウの表示属性に基づいて、表示部２２に表示されるウィンドウの表示属性を決定し、保持する。また、表示制御部２５は、後述するアノテーション表示属性決定部２６で決定されるアノテーションの表示属性を保持する。そして、表示制御部２５は、上記表示属性に基づいて生成した画像信号を表示部２２に出力することにより、表示部２２にウィンドウやアノテーションなどを表示する。
【００５９】
アノテーション表示属性決定部２６は、表示制御部２５により保持されるウィンドウの表示属性と、共有情報受信部２７により受信されるアノテーションの表示属性および付加先識別情報と、に基づいて、表示部２２に表示されるアノテーションの表示属性を決定する。すなわち、アノテーション表示属性決定部２６は、情報共有装置１０の表示部１２に表示されるアノテーションがそのアノテーションの付加先として特定されたウィンドウに関連づけられた状態で表示部２２にも表示されるよう、そのアノテーションの表示部２２における表示属性（表示位置、大きさ、形状、種別、表示色など）を決定する。
【００６０】
ここで、表示部２２に表示されるアノテーションの表示属性を決定する方法を、図４〜図９に基づいて具体的に説明する。図５、図７、図９は、それぞれ、表示部１２に図４、図６、図８に示すウィンドウとアノテーションが表示される場合の、表示部２２に表示されるウィンドウとアノテーションの配置態様を示す図である。なお、図５、図７、図９に示す例では、共有情報受信部２７により受信される付加先識別情報により識別されるウィンドウ（図４、図６、図８に示すアノテーションの付加先）がウィンドウ４０であるものとしている。
【００６１】
たとえば、表示部１２に図４に示すウィンドウ４０〜４２とアノテーション４３（テキストを含むアノテーション）が表示される場合、アノテーション表示属性決定部２６は、図５に示すように、アノテーション４３に対応するアノテーション５３がウィンドウ４０（アノテーション４３の付加先）に対応するウィンドウ５０に関連づけて表示部２２に表示されるよう、アノテーション５３の表示属性を決定する。
【００６２】
すなわち、アノテーション表示属性決定部２６は、図５（ａ）に示すように、アノテーション５３ａの一部または全部がウィンドウ５０に重なるよう、アノテーション５３ａの表示位置を決定してもよい。また、アノテーション表示属性決定部２６は、図５（ｂ）に示すように、アノテーション５３ｂ（アノテーション４３に矢印状の指示線を加えたアノテーション）の指示線がウィンドウ５０を指示するよう、アノテーション５３ｂの表示位置、形状、種別などを決定してもよい。また、アノテーション表示属性決定部２６は、図５（ｃ）に示すように、アノテーション５３ｃの表示態様（たとえばテキスト枠の色）がウィンドウ５０の表示態様（たとえば外縁の色）に対応するよう、アノテーション５３ｃの表示色などを決定してもよい。
【００６３】
また、表示部１２に図６に示すウィンドウ４０〜４２とアノテーション４４（テキストと矢印状の指示線とを含むアノテーション）が表示される場合、アノテーション表示属性決定部２６は、図７に示すように、アノテーション４４に対応するアノテーション５４がウィンドウ４０（アノテーション４４の付加先）に対応するウィンドウ５０に関連づけて表示部２２に表示されるよう、アノテーション５４の表示属性を決定する。
【００６４】
すなわち、アノテーション表示属性決定部２６は、図７（ａ）に示すように、アノテーション５４ａ（アノテーション４４から指示線を除いたアノテーション）の一部または全部がウィンドウ５０に重なるよう、アノテーション５４ａの表示位置、形状、種別などを決定してもよい。また、アノテーション表示属性決定部２６は、図７（ｂ）に示すように、アノテーション５４ｂの指示線がウィンドウ５０を指示するよう、アノテーション５４ｂの表示位置や形状を決定してもよい。また、アノテーション表示属性決定部２６は、図７（ｃ）に示すように、アノテーション５４ｃの表示態様（たとえばテキストの色）がウィンドウ５０の表示態様（たとえば外縁の色）に対応し、さらにアノテーション５４の指示線がウィンドウ５０を指示するよう、アノテーション５４ｃの表示色、表示位置、形状などを決定してもよい。
【００６５】
また、表示部１２に図８に示すウィンドウ４０〜４２とアノテーション４５（テキストとウィンドウ４０からウィンドウ４１に向けてまたがる矢印状の関連指示線とを含むアノテーション）が表示される場合、アノテーション表示属性決定部２６は、図７に示すように、アノテーション４５に対応するアノテーション５５がウィンドウ４０（アノテーション４５の付加先）に対応するウィンドウ５０に関連づけて表示部２２に表示されるよう、アノテーション５５の表示属性を決定する。
【００６６】
すなわち、アノテーション表示属性決定部２６は、図９（ａ）に示すように、アノテーション５５ａのテキストの全部がウィンドウ５０に重なり、さらにアノテーション５５ａの関連指示線がウィンドウ５０からウィンドウ５１に向けてまたがるよう、アノテーション５５ａの表示位置や形状を決定してもよい。また、アノテーション表示属性決定部２６は、図９（ｂ）に示すように、アノテーション５５ｂのテキストの一部がウィンドウ５０に重なり、さらにアノテーション５５ａの関連指示線がウィンドウ５０からウィンドウ５１に向けてまたがるよう、アノテーション５５ｂの表示位置や形状を決定してもよい。また、アノテーション表示属性決定部２６は、図９（ｃ）に示すように、アノテーション５５ｃの表示態様（たとえばテキスト枠の色）がウィンドウ５０の表示態様（たとえば外縁の色）に対応し、さらにアノテーション５５ａの関連指示線がウィンドウ５０からウィンドウ５１に向けてまたがるよう、アノテーション５５ｃの表示色、表示位置、形状などを決定してもよい。
【００６７】
なお、アノテーション表示属性決定部２６は、表示部２２においてアノテーションがそのアノテーションの付加先として特定されたウィンドウに最も近くなるよう、アノテーションの表示属性を決定してもよい。また、アノテーション表示属性決定部２６は、表示部２２においてアノテーションがそのアノテーションの付加先として特定されたウィンドウ内に描画されたオブジェクトに重ならないよう、アノテーションの表示属性を決定してもよい。
【００６８】
以上のように決定されたアノテーションの表示属性は表示制御部２５に出力される。そして、表示制御部２５は、この表示属性に基づいて生成した画像信号を表示部２２に出力する。これにより、情報共有装置１０の表示部１２に表示されるアノテーションは、そのアノテーションの付加先として特定されたウィンドウに関連づけられた状態で表示部２２にも適切に表示される。
【００６９】
ここで、情報共有装置１０，２０の動作を説明する。図１０は、情報共有システム１００における情報共有処理の一例を示すシーケンス図である。
【００７０】
同図に示すように、情報共有装置１０は、各種アプリケーションに係るの複数のウィンドウを表示部１２に表示するとともに（Ｓ１００）、それらウィンドウの表示属性（表示位置、大きさ、形状、表示色など）を通信ネットワーク３０を介して情報共有装置２０に送信する（Ｓ１０２）。情報共有装置２０は、情報共有装置１０から送信されたウィンドウの表示属性に基づいて、表示部１２に表示される複数のウィンドウの配置態様とは異なる配置態様で、それらのウィンドウを表示部２２に表示する（Ｓ１０４）。
【００７１】
次に、入力部１１を介して表示部１２に表示されるアノテーションが入力されると（Ｓ１０６）、情報共有装置１０は、そのアノテーションを表示部１２に表示するとともに、表示部１２に表示された複数のウィンドウのいずれかをそのアノテーションの付加先として特定する（Ｓ１０８）。そして、情報共有装置１０は、Ｓ１０６で入力されたアノテーションの表示属性（表示位置、大きさ、形状、種別、表示色など）と、Ｓ１０８においてそのアノテーションの付加先として特定されたウィンドウを識別する付加先識別情報と、を情報共有装置２０に送信する（Ｓ１１０）。
【００７２】
情報共有装置２０は、表示部２２に表示されたウィンドウの表示属性と、情報共有装置１０から送信されたアノテーションの属性情報および付加先識別情報と、に基づいて、表示部２２におけるアノテーションの表示属性を決定する（Ｓ１１２）。具体的には、情報共有装置１０の表示部１２に表示されたアノテーションがそのアノテーションの付加先として特定されたウィンドウに関連づけられた状態で表示部２２にも表示されるよう、そのアノテーションの表示部２２における表示属性（表示位置、大きさ、形状、種別、表示色など）を決定する。そして、情報共有装置２０は、決定されたアノテーションの表示属性に基づいて、アノテーションをそのアノテーションの付加先として特定されたウィンドウに関連づけて表示部２２に表示する（Ｓ１１４）。
【００７３】
以上説明した情報共有システム１００によれば、複数のウィンドウが互いに異なる配置態様で表示された表示部１２，２２のそれぞれに、それらのウィンドウのいずれかに付加されるアノテーションが適切に表示される。これにより、たとえば、表示部１２の表示領域内に表示されたアノテーションの一部または全部が、表示部２２では表示領域外に表示されてしまう、といった不具合が生じなくなる。
【００７４】
なお、本発明は、上記実施形態に限定されるものではない。
【００７５】
たとえば、上記実施形態では、情報共有装置１０がアノテーションの付加先を特定し、情報共有装置２０がアノテーションの表示属性を決定する例を示したが、情報共有装置１０および情報共有装置２０のそれぞれがこれらの処理を行ってもよいし、たとえば通信ネットワーク３０に接続されるサーバ装置がこれらの処理を行ってもよい。
【００７６】
また、上記実施形態では、アノテーションの付加先がウィンドウである例を示したが、アノテーションの付加先は、ウィンドウに限らず、アイコンなどの図形、画像、ウィンドウ内に描画される各種オブジェクト、またはその他の表示要素のいずれでもよい。
【００７７】
また、上記実施形態では、２つの表示部を含む情報共有システムを示したが、本発明は、複数の表示要素が異なる配置態様で表示された３つ以上の表示部それぞれにアノテーションを表示する情報共有システムにも適用可能である。
【図面の簡単な説明】
【００７８】
【図１】本発明の実施形態に係る情報共有システムの構成図である。
【図２】ウィンドウの配置態様を示す図である。
【図３】ウィンドウの配置態様を示す図である。
【図４】ウィンドウとアノテーションの配置態様を示す図である。
【図５】ウィンドウとアノテーションの配置態様を示す図である。
【図６】ウィンドウとアノテーションの配置態様を示す図である。
【図７】ウィンドウとアノテーションの配置態様を示す図である。
【図８】ウィンドウとアノテーションの配置態様を示す図である。
【図９】ウィンドウとアノテーションの配置態様を示す図である。
【図１０】情報共有システムにおける情報共有処理の一例を示すシーケンス図である。
【符号の説明】
【００７９】
１０，２０  情報共有装置、３０  通信ネットワーク、１１  入力部、１２，２２  表示部、１３，２３  通信部、１４，２４  制御部、１５，２５  表示制御部、１６  アノテーション付加先特定部、１７  共有情報送信部、２６  アノテーション表示属性決定部、２７  共有情報受信部、４０，４１，４２，５０，５１，５２  ウィンドウ、４３，４４，４５，５３，５４，５５  アノテーション、１００  情報共有システム。
【図１】
2010072793.tif 000003
【図２】
2010072793.tif 000004
【図３】
2010072793.tif 000005
【図４】
2010072793.tif 000006
【図５】
2010072793.tif 000007
【図６】
2010072793.tif 000008
【図７】
2010072793.tif 000009
【図８】
2010072793.tif 000010
【図９】
2010072793.tif 000011
【図１０】
2010072793.tif 000012